(57)【特許請求の範囲】
【請求項１】
原油又は天然ガスの産出に伴って取り出され、処理対象物質として少なくとも油分を含む随伴水の処理方法であって、随伴水に対して凝集剤を添加することなくオゾン含有ガスからなるマイクロナノバブルを導入することによって、該随伴水中の乳化オイルをＣＯ２まで酸化分解することなく乳化オイルの油滴表面を酸化させて凝集剤を介さずに乳化オイルを凝集させるとともに、凝集した乳化オイルをスカムとして浮上分離させて浄化水を得る工程からなり、前記工程を１つの槽内で行うことを特徴とする随伴水の処理方法。
【請求項２】
前記工程におけるオゾン含有ガスからなるマイクロナノバブルと随伴水との接触時間が２〜６０分の範囲内であることを特徴とする、請求項１に記載の随伴水の処理方法。
【請求項３】
前記工程で分離したスカムの少なくとも一部を前記槽に戻すことを特徴とする、請求項１又は２に記載の随伴水の処理方法。
【請求項４】
前記随伴水及び／又は前記浄化水に対して、ＣＯＤ、ＴＯＣ、及び油分濃度のうちの少なくとも１つを検出して前記工程で導入するオゾン含有ガスの供給量及び／又はオゾン濃度を制御し、随伴水中の少なくとも油分を除去することを特徴とする、請求項１〜３のいずれかに記載の随伴水の処理方法。
【請求項５】
前記工程で得た浄化水の少なくとも一部に対して、フィルターによるろ過処理、又はゼオライトもしくは活性炭による吸着処理を施して除去対象物質をより高い除去率まで安定的に除去することを特徴とする、請求項１〜４のいずれかに記載の随伴水の処理方法。
【請求項６】
原油又は天然ガスの産出に伴って取り出され、処理対象物質として少なくとも油分を含む随伴水の処理装置であって、随伴水に対して凝集剤を添加することなくオゾン含有ガスからなるマイクロナノバブルを導入することによって、該随伴水中の乳化オイルをＣＯ２まで酸化分解することなく乳化オイルの油滴表面を酸化させて凝集剤を介さずに乳化オイルを凝集させる凝集手段と、凝集した乳化オイルをスカムとして浮上分離させて浄化水を得る浮上分離手段とからなり、前記凝集手段と前記浮上分離手段とが１つの槽内に設けられていることを特徴とする随伴水の処理装置。
【請求項７】
前記凝集手段は、前記随伴水を前記槽内に送る随伴水供給部と、該随伴水供給部から前記槽内に送られた前記随伴水に前記マイクロナノバブルを導入するマイクロナノバブル導入部とを有し、前記浮上分離手段は、前記凝集された乳化オイルを前記スカムとして浮上させる乳化オイル浮上部と、前記槽内に送られた前記随伴水の水面部分に浮遊する前記スカムのかき取り又は抜き取りを行う乳化オイル分離部とを有することを特徴とする、請求項６に記載の随伴水の処理装置。
【発明の詳細な説明】
【技術分野】
【０００１】
本発明は、原油や天然ガスを産出する際に同伴して取り出される随伴水の処理方法及び処理装置に関する。
【背景技術】
【０００２】
原油や天然ガス等の化石燃料を海洋海底や陸上において採取する際、これらに同伴して「随伴水」が取り出される。この随伴水は、海洋海底や陸上における随伴水の圧力バランスや随伴水の採取システムによって、その液量や液性状が異なるが、その量が多いことから灌漑用水などへの利用が検討されている。しかしながら、現段階では経済性を考慮してその多くが井戸元に注入されたり、海洋に放流されたりしている。
【０００３】
但し、随伴水には「規制物質の投棄・排出の禁止、通報義務、その手続き等について規定するための国際条約とその議定書（正式名称は１９７３年の船舶による汚染の防止のための国際条約に関する１９７８年の議定書（海洋汚染防止条約若しくはマルポール７３／７８条約と呼ばれる））」に規定されている油分などの物質が含まれているため、取り出されたままの状態で海洋放流に供することはできない。
【０００４】
また、随伴水を井戸元へ注入する場合は、地下水汚染、井戸の閉塞、海洋海底や地下の環境変化が懸念されるため、そのまま井戸元へ注入することができないことも多い。更に、大量に発生する随伴水を処理して井戸元に注入したり海洋に放流したりする場合は、簡便且つ低コストに処理できなければ実用に供することができない。このような状況の下、各種の研究機関で随伴水の処理に関する開発が行われている。
【０００５】
随伴水の処理では、一般的に随伴水に含まれる油分の含有状態に応じて異なる方法で処理することが行われている。具体的に説明すると、随伴水に含まれる油分は、目視確認できる程度に大きいサイズで液中や液上層に分散したり浮上したりしている状態（フリーオイル）、容易には目視確認できないサイズで液中に分散している状態（乳化オイル又はエマルジョンオイル）、水に溶解している状態（溶解オイル）の３つの含有状態に分類することができる。
【０００６】
これらのうち、フリーオイルは、比重差や相溶性の差を利用して物理的に分離する層分離法で概ね除去することができる。層分離法には、例えばＡＰＩ（Ａｍｅｒｉｃａｎ  Ｐｅｔｒｏｌｅｕｍ  Ｉｎｓｔｉｔｕｔｅ）オイルセパレータや、シェル社の技術で波型平行坂の採用によりオイルを効率よく重力分離できるＣＰＩ（Ｃｏｒｒｕｇａｔｅｄ  Ｐｌａｔｅ  Ｉｎｔｅｒｃｅｐｔｏｒ）セパレータなどを挙げることができる。しかしながら、乳化オイルと溶解オイルは、層分離法で除去することができない。
【０００７】
溶解オイルの場合は、酸化剤を添加することで分解除去することができるが、添加する酸化剤量が多くなる上、反応時間も長くなる。そこで、引用文献１に示すように、吸着法を単独あるいは他の処理法と併用して使用することが提案されている。この方法は、活性炭や無機素材を使って随伴水中の溶存有機物を吸着して脱着するものである。
【０００８】
乳化オイルの場合は、溶解オイルと同様に酸化剤の添加で分解除去することができるが、不溶状態で分離していることから、分解に要する酸化剤の量は溶解オイルより大幅に多くなる上、反応に長時間を必要とし、完全に分解できないこともある。そこで、引用文献２に示す凝集法や、引用文献３に示す乳化オイル破壊法が提案されている。
【０００９】
凝集法は、凝固剤や凝集剤を被処理水に添加して、遠心分離機等で油分と水分とを分離する方法であり、乳化オイル破壊法は油性の被処理水に乳化破壊剤を添加して油分を分離する方法である。更に、これら凝集法や乳化オイル破壊法に加えて、上記した吸着法が併用されることもある。
【００１０】
乳化オイルや溶解オイルの除去法としては、上記のほか、加圧法やマイクロバブル法などに代表されるような、浮遊物質を含む被処理水にマイクロバブルやナノバブルを吹き込んで当該バブルに浮遊物質を付着させて浮遊物質−バブル複合体を形成し、これを分離する浮上分離法（特許文献４）が提案されている。
【００１１】
また、強い酸化力を有するオゾンを利用したオゾン酸化処理法も提案されている。オゾン酸化処理法には、例えば油濁水を凝集磁気分離して、水溶性有機物をオゾン分解処理し、更に太陽熱蒸留器で蒸留して再利用可能な浄化水を得る方法（特許文献５）や、溶解オイルやフリーオイルをオゾンとＵＶでＣＯ２まで分解する随伴水の浄化方法（特許文献６）などがある。
【００１２】
更に、油分分離装置として、多孔質セラミック製の筒状フィルタ（最内層の孔径が０.１〜１.８μｍ）を用いてろ過を行うろ過法（特許文献７）、有機性汚濁物を含む被処理水中に酸化触媒を設置し、そこに空気やオゾンなどのマイクロバブルを供給して接触酸化させる触媒酸化処理法（特許文献８）などの油分分離除去方法が開発されている。
【００１３】
上記したマイクロバブルやナノバブル、更にはオゾンを含むマイクロバブルを用いる技術については、油分除去処理以外の様々な水処理の分野においても従来から提案がなされている。例えば、特許文献９には、水処理を含む広範囲な分野にナノバブルを利用する技術が開示されている。また、特許文献１０には、超音波振動により発生したナノバブルを用いて汚濁水を浄化する方法が開示されている。
【００１４】
特許文献１１には、マイクロバブルとナノバブルの発生機を備え、処理性能を検知してそれぞれを稼動停止させる装置が示されており、ガスとしてオゾン含有ガスを用いることが記載されている。特許文献１２には、オゾンを含むマイクロバブルを用いた水処理装置が示されており、この水処理装置は加圧ポンプと調圧部材とオゾンを含む被処理水を加圧する加圧配管とからなることが記載されている。特許文献１３には、食品製造業などの有機含有廃水を酸化分解処理する処理槽と、この処理槽の下部にパイプ等を通じてオゾン含有マイクロバブルを供給する装置とが示されている。
【先行技術文献】
【特許文献】
【００１５】
【特許文献１】国際公開第２００６／０４９１４９号パンフレット
【特許文献２】国際公開第２００５／０９２４６９号パンフレット
【特許文献３】国際公開第２００７／００２２９８号パンフレット
【特許文献４】特開２００８−２９６０９６号公報
【特許文献５】特開２００９−０００６５６号公報
【特許文献６】国際公開第０３／０９１１６７号パンフレット
【特許文献７】特開昭６３−２９４９１５号公報
【特許文献８】特開２００７−２６８４６９号公報
【特許文献９】特開２００４−１２１９６２号公報
【特許文献１０】特許第４５２４４０６号公報
【特許文献１１】特開２００９−２６２００８号公報
【特許文献１２】特開２００９−１２５６８４号公報
【特許文献１３】特開２００４−３２１９５９号公報
【発明の概要】
【発明が解決しようとする課題】
【００１６】
近年、環境意識の高まりに伴い、随伴水を未処理のまま井戸元に注入したり海洋に放流することがますます困難になってきており、排出基準に適合させながら低コストで随伴水を処理することが必須になりつつある。しかしながら、上記したような酸化剤や凝集剤を使用する従来の方法は、随伴水の処理量が膨大になると薬剤の使用量やそれに伴う廃棄物の発生量が多くなって処理費用が嵩むことが問題になっていた。
【００１７】
更に、随伴水の処理は、産油国や産ガス国などのいわゆるインフラ設備があまり整備されていない国で行われることがほとんどであり、しかも陸上に限らず、採掘が難しい井戸の出現などによって、船舶や海洋リグで処理することが求められることもある。これら船舶や海洋リグはスペースに制約があるので、薬剤の使用やそれに伴う廃棄物の取り扱いを要しない処理方法が求められていた。このように、種々の環境下において、大量に取り出される随伴水に対して低コスト且つ省スペースで簡便に処理できる方法が求められていた。
【００１８】
加えて、近年は原油や天然ガスの単位産出量当たりに取り出される随伴水の量が増加する傾向にある上、前述したように海域放流では環境保全の観点から、井戸元への注入では水資源の確保難や地下水の水質保全への関心の高まりから、規制が強化される傾向にある。そのため、高い処理能力を有することに加えて、新たな規制物質やより厳しい水質基準に対応できる新規な処理方法が求められていた。
【００１９】
また、エネルギー源の多様化やよりクリーンなエネルギーの安定供給の面から、原油や天然ガスの産出には安定した操業の確保が命題となっており、随伴水の処理がネックとなって操業が不安定になる事態は避けなければならない。そのため、例えば随伴水を井戸元への注入する場合は、井戸配管の閉塞や地下地層での地層目詰まりが生じないように制御したり、海洋海底や地下の環境変化に対して制御したりすることが重要になっている。
【００２０】
更に随伴水には、上記した油分のほか、硫化物、浮遊物（ＳＳ）、有害金属類、菌体微生物類が含まれている場合が考えられる。これら複数の処理対象物質を含む膨大な水量の随伴水を処理するためには、従来は複雑な処理システムが必要となる上、複数の薬剤の準備と大量の廃棄物の取り扱いが必要となり、設備費用や運転費用の増加が避けられなかった。そのため、やむを得ず原油や天然ガスの産出量を削減する国や地域が生じていた。
【００２１】
以上説明したように、随伴水の処理には様々な課題が残されており、各種の研究機関で開発が継続して行われてはいるものの、船舶や海洋リグ等での処理に適した簡便な処理方法は未だ実現していなかった。本発明はかかる状況に鑑みてなされたものであり、大量に取り出される随伴水に対して、薬剤の使用やそれに伴う廃棄物の発生を抑えながら簡便に処理する方法を提供することを目的としている。
【課題を解決するための手段】
【００２２】
本発明者らは、被処理水に含まれる乳化（エマルジョン）オイルに対するオゾン処理の効果に着目し、上記目的を達成すべく鋭意研究を行ったところ、オゾンは凝集及び固形化を促進する上、フォーミング層の安定な形成に寄与して長時間にわたりフォーミング状態を維持するという顕著な効果を奏することを見出した。
【００２３】
そこで、乳化オイルを含む随伴水にオゾン含有ガスからなるマイクロナノバブルを導入して乳化オイルを凝集させると共に、凝集した乳化オイルをスカムとして浮上させることを試みたところ、極めて効果的に乳化オイルを随伴水から分離して浄化水を得ることができる上、浮上したスカムはスクレーパーなどで速やかに除去できることが分かった。
【００２４】
しかも、油分の分解処理に伴うオゾンの分解を大きく進行させずに浮上分離によって乳化オイルを分離できるため、随伴水の処理量に比べてオゾンの消費量は極めて少量で済むことが分かった。更に、一般的な空気からなるマイクロバブルやナノバブルでは、フォーミング層は安定して形成されることはなく、効率的にスカムを回収することは難しかったが、オゾン含有ガスからなるマイクロナノバブルをオイルを含有する随伴水に気液接触させると、スカムからなるフォーミング層の形成が安定化し、そのフォーミング状態を６０分程度維持させ得ることが分かった。このように、オゾン含有ガスからなるマイクロナノバブルで大量の随伴水を簡便に処理できることを見出し、本発明を完成するに至ったものである。
【００２５】
即ち、本発明が提供する随伴水の処理方法は、原油又は天然ガスの産出に伴って取り出され、処理対象物質として少なくとも油分を含む随伴水の処理方法であって、随伴水に対して凝集剤を添加することなくオゾン含有ガスからなるマイクロナノバブルを導入することによって、該随伴水中の乳化オイルをＣＯ２まで酸化分解することなく乳化オイルの油滴表面を酸化させて凝集剤を介さずに乳化オイルを凝集させるとともに、凝集した乳化オイルをスカムとして浮上分離させて浄化水を得る工程からなり、前記工程を１つの槽内で行うことを特徴としている。
【発明の効果】
【００２６】
本発明によれば、薬剤の使用やそれに伴う廃棄物の発生を抑えながら大量の随伴水を簡便に処理することが可能となる。よって、海洋地域での原油や天然ガスの採掘の際に取り出される随伴水を、船舶や海洋リグにおいて簡便に処理することができる上、処理後の浄化水はそのまま海域放流や井戸に戻すことができるので、今後ますます求められる技術である。
【図面の簡単な説明】
【００２７】
【図１】本発明の随伴水の処理方法の一具体例を示す概略のブロックフロー図である。
【図２】本発明の随伴水の処理装置の一具体例を示す概要図である。
【図３】本発明の随伴水の処理装置の他の具体例を示す概要図である。
【発明を実施するための形態】
【００２８】
以下、本発明に係る随伴水の処理方法の一具体例について図面を参照しながら説明する。尚、本発明においてマイクロナノバブルとは、マイクロスケールのバブル径を有するいわゆるマイクロバブル及びナノスケールのバブル径を有するいわゆるナノバブルのうちのいずれか一方、又はそれら両方を含むバブルのことをいうものとする。
【００２９】
本発明の一具体例の随伴水の処理方法は、海洋海底や陸上において原油や天然ガス等を採取する際に同伴して取り出される「随伴水」を処理する方法であり、図１に示すように、原水としての随伴水から砂やフリーオイルなどを除去するために必要に応じて行う油分分離工程１と、油分分離工程１で処理した随伴水にオゾン含有ガスからなるマイクロナノバブルを導入して乳化オイルを凝集させる凝集工程２と、凝集した乳化オイルをスカムとして浮上分離させて浄化水を得る浮上分離工程３とからなる。浮上分離工程３で得た浄化水は、更に必要に応じて油分等の含有物が高除去率まで取り除かれた後、海域に放流されるか若しくは井戸に圧入される。
【００３０】
各工程について、図２に示す本発明に係る随伴水の処理装置の一具体例の概要図をも参照しながら具体的に説明すると、先ず油分分離工程１では、比重差を利用した物理的分離方法等の油分分離手段により、随伴水に含まれる砂やフリーオイルなどを分離する。物理的分離方法の例としては、比重が水より小さいオイルなどは前述したＡＰＩオイルセパレータ、ＣＰＩセパレータなどの層分離法を挙げることができる。
【００３１】
図２では、ＣＰＩオイルセパレータ１０を用いて随伴水からフリーオイルを分離する例が示されている。ＣＰＩオイルセパレータ１０は上下方向に積み重ねられた複数の波型平行板からなり、隣接する２つの槽１１、１２を仕切る仕切り板１３の開口部に傾斜して設けられている。かかる構成により、油分を含む随伴水が一方の槽１１からＣＰＩオイルセパレータ１０を経て他方の槽１２に流れ込む際、重力の作用を受けて水分より比重の軽い油分は随伴水の流れに逆行しながら波型平行板の下面に沿って上昇し、槽１１側に戻る。これにより油分が水分から分離する。尚、槽１１側に戻った油分は、槽１１の液面部に設けられたオイルスキマー１４を介して抜き取られる。
【００３２】
油分分離工程１は、オゾンを利用して処理を行う凝集工程２の前に行うことが好ましい。その理由は、フリーオイルが含まれていることにより生じる後段の負荷を効果的に低減することができるからである。具体的には、フリーオイルを除去することによって、後段の凝縮工程２におけるオゾンの消費量を削減することができる。
【００３３】
油分分離工程１で処理された随伴水は、次に凝集工程２に送られる。凝集工程２では、随伴水にオゾン含有ガスからなるマイクロナノバブルを導入して乳化オイルを凝集する処理が行われる。このような凝集処理を行う凝集手段には、例えば図２に示すようなマイクロナノバブルを放散するノズル２１と攪拌機２２とを備えた凝集槽２０を使用することができる。
【００３４】
この凝集槽２０で随伴水とマイクロナノバブルとを気液接触させることにより乳化オイルの凝集及び固化が安定的に生じ、後述するようにオイリーでないドライなスカムを浮上分離することが可能となる。このような顕著な効果が得られる理由についてはよく分からないが、随伴水に含まれる乳化オイルの油滴（オイル滴とも称する）表面がオゾンにより酸化されて生じる、二重結合の開裂や、カルボニル基などの生成によるものと推測している。
【００３５】
凝集工程２において、オゾン含有ガスからなるマイクロナノバブルを随伴水に気液接触させる際、接触時間は２〜６０分の範囲内にあることが好ましい。この範囲内であれば、乳化オイルを構成する微細なオイル滴の表面の酸化と、それらオイル滴の凝集及び固化とを十分に進行させて、後述する浮上分離を完結させることが可能となる。
【００３６】
ここで、マイクロナノバブルを随伴水に気液接触させる際の接触時間とは、槽内での上記したオイル滴の酸化や凝集等の反応に必要な時間であって、これはマイクロナノバブルと随伴水の接触時間のことを意味する。随伴水の処理では、原水としての随伴水の油分濃度、ガス中のオゾン濃度、後述するマイクロナノバブルを含んだバブル含有水中のマイクロナノバブル濃度等の条件が、時間の経過とともに異なったり運転の影響を受けて変動したりすることがあるため、オゾン含有ガスからなるマイクロナノバブルの供給量を調整して対処することが考えられる。
【００３７】
しかしながら、オゾン含有ガスからなるマイクロナノバブルは、液中では合体や浮上が起こるので、マイクロナノバブルの槽内でのガス滞留時間は随伴水の槽内の液滞留時間に対して相対的に短時間である。更に、マイクロナノバブルを槽内に吹き込む位置の深さがほぼ同じであれば、供給量を変化させても上記接触時間はほぼ同じとなる。そこで、本発明では、上記接触時間は凝集工程２における随伴水の液滞留時間と定義する。尚、随伴水の処理を凝集工程２のような連続処理ではなく回分処理で行う場合は、槽内の液の外部装置との間の循環の有無にかかわらず、ガスの導入時間を反応時間と考えてこれを接触時間と定義する。
【００３８】
乳化オイルの分解性能は、凝集槽における随伴水の液滞留時間、凝集槽に流入する随伴水の供給量とオゾン含有ガスの供給量との比、オゾン含有ガス中のオゾン濃度、マイクロナノバブルの気泡径の分布（ナノスケールからマイクロスケールまでの気泡径の分布）、凝集槽における液温度などによって決まるが、本発明においては、オイルの分解反応を考慮するのではなく、反応速度が十分に速い乳化オイルの凝集反応を考慮するので上記のような定義を行うことができる。
【００３９】
尚、オゾン含有ガス中のオゾン濃度は乳化オイルの凝集反応を制御するうえで重要な因子であるため、被処理水である随伴水中のオイル濃度、オイル性状などの諸条件に応じて適宜定めるのが望ましい。また、マイクロナノバブルの気泡径の分布はマイクロナノバブル発生器によっておおむね定まり、一般に１ｎｍ〜５０μｍ程度である。
【００４０】
凝集槽における液温度は常温であるか、変動する場合であってもおおむね数℃から６０℃程度であって、この範囲では乳化オイルの凝集反応に対して特段の性能の差異は無く、加熱冷却を行う必要は特にない。しかしながら、氷点に近い温度や沸点に近い温度は避けるのが望ましいため、事前に温度調節することが必要となる場合がある。
【００４１】
このように、まず凝集槽の大きさを適切なサイズとするため液滞留時間を確定し、その上で随伴水の性状、採用するマイクロナノバブル発生器のタイプやそれに供給するガスの種類（空気か酸素か）、浄化水におけるＣＯＤの挙動、凝集槽から排出される排気ガス中のオゾン濃度等を考慮して、凝集槽に流入するオゾン含有ガスの供給量やそのオゾン濃度を適宜選定することになる。
【００４２】
上記接触時間が２分未満ではオイルの酸化、凝集、及び固形化が十分に進行せず、乳化オイルを良好に分離できなくなる。一方、上記接触時間が６０分を超える程度にオゾンと随伴水とを気液接触させた場合は、オイルの酸化、凝集、及び固形化は徐々に進行するものの、必要以上にオイルの分解が徐々に進むため、オゾンの消費量が増大すると共に、オイルが中途半端に分解及び溶解し、かえってＣＯＤが増加してしまう。このように中途半端に分解及び溶解したオイルを完全に分解させるには、数十時間以上を必要とするので随伴水の処理としては現実的でない。
【００４３】
即ち、６０分を超えてオゾンと随伴水とを気液接触させた場合、例えば９０分程度ではＣＯＤは増加しないが更なる凝集が進まず、９０分を超えるとオイル滴の内部まで酸化が進行して、オイルの低分子化や水溶化が進行する。そして、水溶化が進むとＣＯＤ値やｎ−ヘキサンの分析値が増加するので、これらの値を大幅に低下させるには更に長時間のオゾン導入が必要となる。このように、６０分を超えた数時間程度の中途半端な時間で随伴水とオゾンとを気液接触させた場合は、オゾン導入量に比例して分解率が高くならずに中途半端な処理となる。
【００４４】
これに対して、本発明の一具体例の処理方法では、２〜６０分程度の短時間の気液接触によりオイル滴の表面部分だけを酸化させるので、オゾンの消費量を抑えつつ効率的に随伴水を処理することができる。具体的には、同一条件で比較した場合、ＣＯ２までほぼ完全に酸化分解するには３０時間以上が必要であるのに対して、本発明の一具体例の処理方法では２〜６０分程度の処理でよいので、数十分の１以下のオゾン消費量でよいことになる。
【００４５】
凝集工程２で処理された随伴水は、次に浮上分離工程３に送られる。この浮上分離工程３では、浮上分離手段として、例えば図２に示すような浮上分離槽３０を使用することができる。この浮上分離槽３０は、槽の底部から散気管３１などの散気手段を介して連続的にバブルを供給できるようになっており、上記した凝集工程２で凝集した乳化オイルがこのバブルに伴って浮上し、スカムとなる。
【００４６】
このスカムは、凝集した乳化オイルとバブルとからなるフォーミング層を形成して浮上分離槽の水面部分に浮遊するため、カキトリや上部液の抜き取りなどによって容易に水流と分離することができる。尚、カキトリは特に方式を問わないが、例えばスクレーパー式やスクープ式を採用することができる。図２では浮上分離槽３０の水面上を回転してスカムをかき取るスクレーパ３２が示されており、該スクレーパ３２でかき取られたスカムは排出部３３を介して排出される。
【００４７】
上記した浮上分離工程３の散気手段に導入するガスは、図２に示すようにブロア３４で昇圧された空気を用いてもよいし、酸素やオゾンを含むガスを用いてもよい。また、後述するように、上記散気手段からのバブルに代えて、あるいは散気手段からのバブルに加えて凝集工程２に導入するバブル含有水の一部を図２の点線Ａのライン及びノズル３４を介して浮上分離槽３０に導入してもよい。このように、浮上分離槽３０にバブル含有水を導入することによって、凝集工程２の役割の一部を浮上分離工程３で担わせることが可能となる。
【００４８】
例えば、凝集槽２０と浮上分離槽３０とを隣接して配置し、凝集槽２０の処理液をオーバーフローにより浮上分離槽３０に液移送するような場合は、凝集槽２０に導入したガスを一部処理液中に残存させた状態で、該処理液を浮上分離槽３０に供給することが可能となる。よって、この残存したガスに浮上分離槽３０における浮上分離の役割を担わせることが可能となる。
【００４９】
すなわち、凝集槽２０に導入したオゾン含有ガスのマイクロナノバブルを有効に利用することによって、浮上分離槽３０における散気管３１やノズル３４からのガスの導入を省くか、もしくはガス量を低減させることが可能となる。尚、浮上分離工程３にオゾン含有のマイクロナノバブルを導入したり、マイクロナノバブルの一部がオーバーフローして浮上分離工程３に持ち込まれた場合には、接触時間は前述の範囲を超えて長くなることになるが、副次的なものであり基本思想は同じである。
【００５０】
以上説明した処理方法により、乳化オイルをスカムとして除去できると共に、乳化オイルをほとんど含まない浄化水を得ることができる。この浄化水は、必要に応じて油分を高除去率まで除去する高度除去工程で処理された後、海域に放流されるか若しくは井戸に圧入される。また、浄化水を灌漑用水として使用する場合は、逆浸透膜などによる脱塩処理が施される。これら高度除去工程による処理や脱塩処理については後に詳細に説明する。
【００５１】
上記にて説明したオゾン含有ガスからなるマイクロナノバブルで随伴水を処理することにより得られるスカムは、比較的ベトツキの少ないいわゆるドライなスカムであることを特徴としている。そのため、従来のＡＰＩオイルセパレータやＣＰＩセパレータなどの層分離法を用いて回収したオイルや、一般的な浮上分離法で得られるスカムに比べて取り扱いが容易になる上、再離散が減って捕集効率が極めて高くなる。また、このドライスカムは固形物の含有率が高いので、後段の脱水コストを低減することができる上、固体燃料として取り扱う際の輸送や燃焼が容易となる。
【００５２】
本発明の一具体例の処理方法では、凝集工程２に導入するオゾン含有ガスは、主にマイクロナノバブルの形態を有していることが好ましい。一方、浮上分離工程３に空気又は酸素若しくはオゾン含有ガスを導入する場合は、当該空気等はマイクロナノバブル及びこれより大きなバブル径のバブルの形態を有しているのが好ましい。
【００５３】
すなわち、凝集工程２に導入するオゾン含有ガスは、そのほとんどがバブル径１ｎｍ〜１０００μｍ、より好適にはバブル径１ｎｍ〜５０μｍの範囲内のマイクロナノバブルの形態を有しているのが好ましいのに対して、浮上分離工程３に上記凝集工程２とは別に準備した空気等を導入する場合にはその導入する空気等は、ミリメータースケールのバブル径を有するバブルの形態を有しているのが好ましい。この場合、浮上分離工程３においては、導入するガスのバブル（気泡）全体に占めるマイクロナノバブルの割合については特に限定がない。
【００５４】
このように、導入するバブルの好適な要件が凝集工程２と浮上分離工程３とで異なる理由は、油分の酸化処理や凝集処理の処理速度を高めるためには反応面積が広いマイクロナノバブルが有利である一方、浮上分離において処理能力を高めるには、１〜５ｍｍ程度のバブル径を有する気泡を含ませることによりバブルの浮上速度をより高めることができるからである。また、バブル径が大きい方が発生させる消費動力も小さくて済む。
【００５５】
尚、マイクロナノバブルにもミリメータースケールのバブルと同様にフリーオイルや浮遊物などの浮遊物質に付着する特性がある。また、マイクロナノバブルにはマイクロナノバブルと同時に又は別々に発生した１〜５ｍｍ程度の径を有する気泡や、マイクロナノバブル同士が融合してできた気泡に付着して浮遊物質等を速やかに浮上分離させるという特徴がある。
【００５６】
前述したように、酸化効果及び凝集効果を有するオゾンの有効利用のため、凝集工程２に導入するオゾン含有ガスからなるマイクロナノバブルの一部を分岐して浮上分離工程３に導入する場合、浮上分離工程３にはオゾン含有ガスからなるマイクロナノバブルと、空気からなるマイクロナノバブル及び１〜５ｍｍ程度の径を有する気泡が導入されることが好ましい。これは、オゾンと空気を使い分けるのが効果的だからである。
【００５７】
上記説明では凝集工程２と浮上分離工程３とを別々の工程で処理する場合について説明したが、凝集工程２と浮上分離工程３とを単一の工程で処理してもよい。単一の工程の処理は、例えば図３に示すような凝集工程２と浮上分離工程３とを同時並行的に処理できる１つの凝集分離槽４０を使用することで随伴水の凝集処理と浮上分離処理とを行なうことができる。
【００５８】
図３の凝集分離槽４０は縦長の槽で構成されており、オゾン含有ガスからなるマイクロナノバブルと、ブロア４５からの空気からなるマイクロナノバブル及びバブル径１〜５ｍｍ程度のバブルとを１つの凝集分離槽４０の下部からに同時に導入することによって、槽の下部で凝集処理を行うと共に、槽の上部でスカム分離を行うことができる。
【００５９】
尚、オゾン含有ガスからなるマイクロナノバブルはノズル４４を介して凝集分離槽４０の底部中央付近に供給し、空気からなるマイクロナノバブル及びバブル径１〜５ｍｍ程度のバブルはリングスパージャー４１を介して凝集分離槽４０の底部周辺に導入することが好ましい。また、上記凝集分離槽を横長の槽で構成し、その長手方向の一方の側で凝集処理を行うと共に他方の側でスカム分離を行ってもよい。
【００６０】
オゾン含有ガスの導入方法は上記方法に限定されるものではなく、例えばノズル４４からの導入に代えて、前段の油分分離工程１の槽１２から凝集分離槽４０に移送される随伴水の供給ラインの途中に、図３の点線Ｃのラインを介してオゾン含有ガスからなるマイクロバブルを集中的に導入してもよい。これによりオゾンの有効利用率が向上すると共に、浮上分離効果の向上が期待できる。
【００６１】
尚、図３のように凝集工程２と浮上分離工程３とを単一の凝集分離槽４０で同時並行的に行う場合は、フォーミング層の維持効果がより一層向上する。また、オゾン処理によって浮上分離したスカムは、凝集工程２と浮上分離工程３とを単一の装置で同時並行的に行う場合でも、別々の装置で行う場合と同様に、ドライなスカムが得られる。従って、凝集分離槽４０の水面部分に形成されたフォーミング層のカキトリや液上部の抜き取りについては、図２の浮上分離槽３０と同様に行うことにより、容易にスカムを水流から分離回収して浄化水を得ることができる。図３では、図２と同様にスクレーパ４２でスカムをかき取って排出部４３を介して抜き取る構成が示されている。
【００６２】
本発明ではマイクロナノバブルを発生させて随伴水と接触させる方式については特に限定はないが、マイクロナノバブルを高濃度に発生させて、随伴水中のマイクロナノバブル濃度を高濃度で随伴水と接触させることができるものが好ましい。例えば、図２や図３に示すように、凝集槽２０（または浮上分離槽３０）や凝集分離槽４０からポンプ５１で液の一部を抜き出してマイクロナノバブル含有水製造装置５２に供給し、この装置の容器内で液中にオゾン含有のガスに圧力をかけて噴出させる方法が好ましい。
【００６３】
あるいは、液中でオゾン含有のガスに剪断力をかけるなどによって、ガスを微細化してマイクロナノバブルを含むバブル含有水を製造し、このバブル含有水を凝集槽２０や凝集分離槽４０に戻すことによって、それぞれの槽内でマイクロナノバブルと随伴水を接触させてもよい。もしくは、処理前の随伴水とオゾン含有のガスを強制混合させて、処理前の随伴水中にガスを微細化してマイクロナノバブルを製造させて、凝集槽２０や凝集分離槽４０で接触時間を確保して凝集を進行させることもできる。
【００６４】
上記のようなオゾンを含むマイクロナノバブルを用いることによって、凝集工程から排出される排ガス中に含まれるオゾンの量を削減することができ、オゾンロスの大幅削減が可能となる。さらに排ガス中の残留オゾンの処理を簡素化もしくは削除することが可能となる。尚、上記したマイクロナノバブル含有水製造装置５２で用いるガスは、酸素又は空気を原料として一般的なオゾン発生機５３を用いてオゾン含有ガスを製造し、このガスを一般的な圧縮機（図示せず）で圧縮したものを随伴水に導入すればよい。
【００６５】
上記バブル含有水製造器５２における上記ガスの噴出先の液に、前述したように凝集槽２０内や凝集分離槽４０内の液を抜き出して使用する場合、当該抜き出される液の流量は、限定するものではないが、その供給元の凝集槽２０や凝集分離槽４０に滞留している液容量を該抜き出される液流量で割った滞留時間が随伴水の処理滞留時間の数分の１から数十分の１程度となるように定めるのが好ましい。
【００６６】
この時間が極端に短くなると、バブル含有水が凝集槽２０や凝集分離槽４０に導入される際に液混合が激しくなって、安定した凝集処理や浮上分離処理を行うことが難しくなるからである。尚、かかる液混合による乱れを緩和するため、マイクロナノバブルを含んだ当該バブル含有水を、凝集槽２０や凝集分離槽４０の下方において槽の円周方向に吹き出させたり、複数の小孔から吹き出させたりするのが好ましい。
【００６７】
このように、凝集槽２０や凝集分離槽４０から液を一部抜出してバブル含有水として循環させる場合は、図２のように凝集工程２と浮上分離工程３とを別々に処理する場合であっても、図３のように一体化して処理する場合であっても、凝集等の処理を安定させるために槽の容積をある程度大きくする必要がある。そこで、槽の容積に制約がある場合は、槽内の液を抜き出す代わりに、浮上分離後の浄化水を図２の点線Ｂや図３の点線Ｄで示すラインを介して抜き取るのが好ましい。この場合、浮上分離後の浄化水はオイルやＳＳ等が除去された清澄な液であるため、マイクロナノバブルの発生を安定化させることができるという効果も得られる。
【００６８】
以上説明したように、本発明の一具体例の随伴水の処理方法は、随伴水に含まれる乳化オイルを効率的に除去することを主たる目的としている。随伴水に含まれる油分のうちの溶解オイルについては、基本的には環境汚染や安定な操業に支障をきたすことがあまりないので意図的には分解除去を行わない。このように、乳化オイルの油滴表面を酸化する段階までのオゾン作用にとどめることによって、従来のようなＣＯ２まで酸化分解していた方法に比べてオゾン消費量を大幅に削減することができる。
【００６９】
また、オゾン処理におけるオゾン源は空気若しくは酸素であり、固体や液体の薬剤を使用しないため、薬剤の調達、輸送、保管等が不要となり、砂漠や海洋などの辺地なところが多い井戸であっても低コストで適用できる。更に、薬剤に起因するスラッジ廃棄物が発生しないので環境に対する二次汚染の懸念がない。これは、膨大な量の随伴水を処理する際に特に効果的であるといえる。
【００７０】
更に、本発明の処理方法では、オゾン処理することによって、乳化オイルの処理だけでなく、随伴水に油分に加えて含まれ得る硫化物、浮遊物（ＳＳ）、有害金属類、菌体微生物類等を処理することができる。具体的には、硫化物はオゾンによる酸化によって硫化イオンに分解して無害化される。有害金属類は、オゾンによる酸化によって金属酸化物となることで不溶化し、乳化オイルの凝集固化物や浮遊物と共にドライスカムとして回収される。菌体微生物類はオゾンの殺菌滅菌効果により死滅除去される。
【００７１】
これら硫化物等の処理は、乳化オイルの凝集及び固化処理よりも緩慢な条件で進行させることができ、いずれの処理も気液接触時間等の処理条件に関して、乳化オイルの凝集及び固化処理と同一の条件下において実験したところ、１時間以内で良好に処理できることを確認した。従って、これら硫化物等の除去が必要となる場合においても、含有する硫化物等は油分に比べて相対的に低濃度であることから、オゾン供給量や気液接触時間等の処理条件は、乳化オイルの凝集及び固化処理に基づいて決定すればよい。
【００７２】
随伴水の性状は油田やガス田の場所、産出物の種類、産出する時間帯等によって大きく異なるといわれているが、本発明においては、随伴水の原水性状や処理状況を検出しながら、オゾンの供給量（即ち、オゾン含有ガス中のオゾン濃度やオゾン含有ガスの供給量）を適宜調整することで、効率的且つ速やかに随伴水の処理を制御することが可能になる。具体的には、例えば処理後の浄化水のＣＯＤ、ＴＯＣ、及び油分濃度のうちの少なくとも１つを検出（連続モニターが好適）し、この検出値に基づいてオゾン濃度を制御したり、オゾン含有ガスの供給量を調整して気液接触時間を制御したりすることで効率よく処理することが可能となる。
【００７３】
以上、本発明の随伴水の処理方法を具体例を挙げて説明したが、本発明はかかる具体例に限定されるものではなく、本発明の主旨から逸脱しない範囲内で種々の代替例や変形例を考えることができる。例えば、油分が低濃度の随伴水の場合や、油分分離工程１によって油分を十分に低減させることができるような場合は、凝集工程２の前に薬剤を添加しない凝集促進工程を設け、凝集工程２で凝集処理を行う前にある程度凝集させておくのが好ましい。これにより、凝集工程２の処理を簡便化することができる。ここで、薬剤を添加しない凝集促進とは、例えば、繊維や活性炭、無機材の粒子を充填したタンクに随伴水を送液して事前に凝集させたり、油滴の電位を利用して凝集させるべく電場内を通液させたりする処理のことをいう。繊維としては炭素からなるものが好ましい。
【００７４】
更に、鉄若しくはアルミニウムの化合物、又はゼオライトや活性炭粉など、吸着作用や凝集作用のある薬剤を凝集剤として凝集工程２及び／又は浮上分離工程３に投入してもよい。凝集剤を添加することによって、油分だけでなく浮遊物（ＳＳ）の除去性能を向上させることができるからである。また、浮上分離効果を促進するため、発泡作用のある薬剤を補助的に浮上分離工程３に投入してもよい。
【００７５】
このように、凝集工程２や浮上分離工程３に凝集剤を添加することによって、乳化オイル等の油分をより高除去率まで除去することが可能となる。上記化合物としては、例えば価数が２若しくは３の鉄の酸化物、塩化物、硫酸塩、水酸化物、又はその組み合わせ、価数が２若しくは３のアルミニウムの酸化物、塩化物、硫酸塩、水酸化物、又はその組み合わせを挙げることができる。
【００７６】
尚、凝集剤の添加は、薬剤の使用量を抑えるという本発明の目的に若干逆行することになるが、随伴水に含まれる除去対象物質を高除去率まで除去することができるので、総合的に判断すれば有利になることがある。凝集剤の投入量は、オゾンとの併用であるので比較的少なくて済む。具体的には、凝集剤の投入量は２０〜１０００ｍｇ／ｌ程度が好ましく、２０〜１００ｍｇ／ｌ程度がより好ましく、効果の発現度合ではより低濃度の投入にすることもできる。尚、この投入量は、オゾン処理がない場合に比べると１／１０程度もしくはそれ以下である。
【００７７】
オゾン含有ガスからなるマイクロナノバブルの導入による乳化オイルの凝集固化と浮上分離によって生成したスカムは、随伴水に含まれる鉄などの金属類に対して凝集作用を有しており、更にこのオイル類のスカムは、ドライであることにより再溶解や再分散が起こりにくいため、凝集核の働きも有する。従って、浮上分離工程３で浮上分離したスカムの少なくとも一部を凝集工程２に循環することによって、オイル分離がより一層効率化される。もちろん、凝集剤を添加した場合には、その効果は更に大きくなる。
【００７８】
浮上分離工程３で得た浄化水は、更に例えば小さな目開きのフィルターによるろ過処理、及び／又は活性炭等による吸着処理を施してより高い除去率まで含有物を除去してもよい。このようなろ過処理や吸着処理からなる高度除去工程で浄化水を処理することは、単に高い除去率を得るというだけでなく、浄化水の水質を常に安定させるという効果も得られる。尚、この高度除去工程はオゾン処理が行われる凝集工程２の下流に位置するので、フィルターの汚れ等の問題は起こりにくいという利点を有している。
【００７９】
更に、浮上分離工程３で得た浄化水に対して、逆浸透膜法や太陽熱を利用した蒸発法等による脱塩処理を行ってもよい。随伴水は一般に塩分を含んでいるので、灌漑用水などに利用するためには、脱塩が必要となるからである。また、将来的に地下水の塩分汚染が指摘される可能性がある、そのための脱塩処理を副次的に設けてもよい。この脱塩処理も上記高度除去工程と同様にオゾン処理が行われる凝集工程２の下流に位置するので、逆浸透膜の汚れ等の問題は起こりにくいという利点を有している。また、地下環境の変動を防止するため、浮上分離工程３の浄化水に対して、脱酸素、脱オゾン処理を行ってもよい。処理は薬剤添加でも、減圧脱気、無酸素ガスのバッキでもよい。
【実施例】
【００８０】
［実施例１］
ガスボンベの酸素ガスを流量０.７Ｌ／ｍｉｎでオゾン発生器（エコデザイン株式会社製ＥＤ−ＯＧ−Ｓ１型）に供給し、オゾン含有ガス（オゾン濃度２４００ｍｇ／Ｌ）を発生させた。一方、予め凝集槽及び浮上分離槽としての凝集分離槽に張り込んでおいた液量４０Ｌの模擬随伴水を循環流量７Ｌ／ｍｉｎでマイクロバブル製造機（株式会社アスプ製ＡＳ−Ｋ３型）に循環させながら、このマイクロバブル製造機に上記ガスを導入することによって模擬随伴水の循環液中にマイクロナノバブルを発生させた。
【００８１】
このマイクロナノバブルを含む循環液は、全量が凝集分離槽の液深さ２５ｃｍのところに戻るように循環させた。このようにして、オゾン含有ガスからなるマイクロナノバブルによってバッチ処理で模擬随伴水を処理する試験を行った。尚、模擬随伴水には油分としてＡ重油とＢ重油の混合油を油分濃度が所定値になるよう添加し、更に、ＮａＣｌ、試薬Ｎａ２Ｓ、試薬ＳｉＯ２、試薬Ｆｅ（ＯＨ）３、及び菌体をそれぞれ所定の濃度となるように添加した。調製した模擬随伴水は、事前にポンプ循環により６時間攪拌した。更に、試験前にも同様にポンプ循環により１時間攪拌した。このようにして調製した模擬随伴水の組成を下記表１に示す。
【００８２】
【表１】
0005826068.tif 000002
【００８３】
発砲剤、凝集剤を添加しない条件で、ガス導入直後から２０分後の間、凝集分離槽の液面に浮上したスカムがフォーミング相を生成した。このフォーミング相が生成している時間帯に、浮上したスカムの分離除去を３回行った。このスカムの分離除去は、フォーミング相の上部を液溜まり付き板状スクレーパーで掻き取ることにより行った。分離除去した液量は、合計１Ｌ以下であった。フォーミング相はガス導入から３０分程度後にはかなり減少した。よって、フォーミング相の生成のないそれ以降の時間帯には掻き取りによる分離除去を行わなかった。そして、ガスを導入してから２０分後、４５分後、及び９０分後に凝集分離槽の中段深さの液をサンプリングして組成分析を行った。この分析結果を、下記表２に示す。
【００８４】
【表２】
0005826068.tif 000003
【００８５】
上記表２から分かるように、２０〜９０分の接触時間でＣＯＤを増加させることなく油分を大幅に低減させることができた。また、硫化物、ＳｉＯ２、菌体の濃度も大幅に低減させることができた。更に、排ガスに含まれるオゾン濃度を極めて低い値に抑えることができた。その一方で、４５分と９０分ではオイルの除去性能はほぼ同じであり、９０分以上の接触時間で処理しても処理効率が低下するので、接触時間としては最大９０分でよく、より好適には２〜６０分が好ましい。
【００８６】
［比較例１］
酸素ガスを導入してオゾン発生器から発生させたオゾン含有ガスを用いる代わりに空気を用いた以外は実施例１と同様にして試験を行った。つまり、空気からなるマイクロナノバブルによって模擬随伴水を処理する試験を行った。この処理ではフォーミング相がほとんど生成されなかったので、表面水を数百ｍＬだけ取り除き、それ以降は表面水の取り除きは行わずに実験を継続した。そして、実施例１と同様にサンプリングして組成分析を行った。その結果を下記表３に示す。
【００８７】
【表３】
0005826068.tif 000004
【００８８】
この実験ではマイクロナノバブルにオゾンを含まなかったため酸化凝集がほとんど進行せず、前述したようにフォーミング相がほとんど生成しなかった。そのため、油分の浮上が不十分となり、上記表３から分かるように、２０〜９０分の接触時間では油分除去率が極めて小さかった。また、オゾンを含まなかったため、ＣＯＤ、硫化物及びＳｉＯ２の除去も十分に進まなかった。
【００８９】
［比較例２］
マイクロナノバブルを発生させずに、オゾン含有ガスと凝集分離槽から抜き出される循環液を孔径２ｍｍの孔から凝集分離槽に戻すようにして凝集分離槽中の模擬随伴水にオゾン含有ガスを導入すること以外は実施例1と同様にして試験を行った。この処理ではフォーミング相は生成されたが、その生成量（深さ）は小さく、生成した時間も短かったので、１回の掻き取り分離しかできなかった。２回目は比較例１と同様に表面水を取り除いた。そして、実施例１と同様にサンプリングして組成分析を行った。その結果を下記表４に示す。
【００９０】
【表４】
0005826068.tif 000005
【００９１】
オゾンを含んでいるガスを模擬随伴水に導入したため酸化凝集が進行し、前述したようにフォーミング相が多少生成した。その結果、上記表４に示すように、２０〜９０分の接触時間で油分の分離除去が多少進んだ。しかし、導入したガスはマイクロナノバブルではなかったため、フォーミング相の生成や酸化速度が不十分となり、油分の分離は十分ではなかった。
【００９２】
ＣＯＤ、硫化物、及びＳｉＯ２の除去も導入したガスがオゾンを含んでいたため多少除去できたが、導入したガスがマイクロナノバブルではなかったため、除去速度が遅かった。また、排ガス中のオゾン濃度が高くなり、オゾンの使用効率が著しく低下した上、廃オゾン処理のために分解触媒を設けることが必要になった。
【００９３】
［実施例２］
実施例１と同様の試験で２０分間のオゾン含有ガスの導入後、スカムの浮上分離の様子を試験するためオゾン含有ガスの供給及び循環液の循環を停止してスカムを浮上分離させた。その後、凝集分離槽内の液をサンプリングして組成分析を行った。その結果、除去性能は実施例１と同等であった。
【００９４】
［参考例］
凝集剤の添加効果を確認するため、実施例１と同様の模擬随伴水を６つ作製し、それぞれに試薬硫酸第一鉄（ＦｅＳ０４）、試薬硫酸第二鉄（Ｆｅ２（ＳＯ４）３）、試薬水酸化第二鉄（Ｆｅ（ＯＨ）３）、試薬硫酸アルミニウム（Ａｌ２（ＳＯ４）３）、試薬塩化アルミニウム（ＡｌＣｌ３）、及び回収スカム（試験で回収したもの）を各々５０ｍｇ／Ｌ相当の濃度となるように添加した。このようにして得た各模擬随伴水に対して、以降は実施例1と同様にして試験を行った。ガスを導入してから４５分後に凝集分離槽の中段深さの液をサンプリングして組成分析を行った。その分析結果を下記表５に示す。
【００９５】
【表５】
0005826068.tif 000006
【００９６】
上記表５から分かるように、油分については全ての場合において、ＣＯＤについては塩化アルミニウムを除く全ての場合において、実施例１の結果よりも低減しており、凝集剤を添加することが有効であることが分かった。
【００９７】
［実施例４］
実施例１の試験４５分間後の模擬随伴水１Ｌに吸着剤として活性炭（クラレケミカル製水処理用粒状活性炭）３０ｇを添加して３０分間ゆっくり攪拌して静置させた。この静置により分離した上澄み清澄液を採取して分析した結果、処理後の随伴水はＣＯＤ１２５０ｍｇ／Ｌ、油分５ｍｇ／Ｌになった。実施例１の結果よりも大幅に低減しており、活性炭が吸着剤として有効であることが分かった。
【符号の説明】
【００９８】
１    油分分離工程
２    凝集工程
３    浮上分離工程
１０  ＣＰＩオイルセパレータ
２０  凝集槽
３０  浮上分離槽
４０  凝集分離槽
５２  バブル含有水製造装置
５３  オゾン発生器
【図１】
0005826068.tif 000007
【図２】
0005826068.tif 000008
【図３】
0005826068.tif 000009